(57)【要約】      （修正有）【課題】他のデザインの額縁フレームに入れ替えることができ、額内部を密閉することにより外部環境の影響を受けない展示用額の提供。【解決手段】額の展示部分と背面部を有する枠状の額本体部２と、額本体部背面と反対側の額本体部前面に取り付く前面透明板３と、額本体部前面と前面透明板の接続部分を保護カバー及び額縁デザインとなる着脱式額縁フレーム４で構成し、額本体部の接続部分は額本体部の枠状部から前面および背面ともに外方向に折れ曲がり展示部分の外周にツバ形状５、６の接続部分を形成し、着脱式額縁フレームは、額本体部背面ツバ形状接続部分との嵌合により組み立てられる。【選択図】図３
2011115575.tif 000002
【特許請求の範囲】
【請求項１】
額の展示部分と背面部を有する枠状の額本体部と、額本体部背面と反対側の額本体部前面に取り付く前面透明板と、額本体部前面と前面透明板の接続部分を保護カバー及び額縁デザインとなる着脱式額縁フレームで構成される展示用の額であり、額本体部の接続部分は額本体部の枠状部から前面および背面ともに外方向に折れ曲がり展示部分の外周にツバ形状の接続部分を形成し、このＬ型の一辺側が接続部分となる構造により、額本体部前面ツバ形状接続部分は前面透明板の周縁部と接続し箱形状となり額の強度を保ち、額本体部背面ツバ形状接続部分の外周は額本体部前面ツバ形状の接続部の外周よりも接続部分の外周が外方向に大きく延びることで着脱式額縁フレームは額本体部前面ツバ形状接続部分と干渉することなく額本体部背面ツバ形状接続部分との嵌合により組み立てられ、着脱式額縁フレームは額本体部前面ツバ形状接続部分と前面透明板の接続部分の保護カバーであるとともに額縁フレームが着脱できる構造が特徴の展示用の額。
【発明の詳細な説明】
【技術分野】
【０００１】  本発明は、額本体部から直接額縁フレームが何度でも取り外し取り付けることができる展示用の額に関する。
【背景技術】
【０００２】  従来の技術は額の構造により額縁フレームを着脱することや他の異なるデザインの額縁フレームと入れ替えないこと前提としている。また外部環境に弱く額の設置場所を特定する。
【発明が解決する課題】
【０００３】  従来の額は、額縁フレームが額の強度部分として一体化して固定している構造のため、額縁フレームを着脱することや、他のデザインの額縁フレームに入れ替えることができなかった。そして額を構成する接続部分の構造が直接外部との接点になるため、各部を構成する接続部などにパッキン材や防水材や接着剤、クッション材やコーキング材、防水塗料などを使用して外部環境に対応してきた。
【課題を解決するための手段】
【０００４】  額の展示部分と背面部を有する枠状の額本体部と、額本体部背面と反対側の額本体部前面に取り付く前面透明板と、額本体部前面と前面透明板の接続部分を保護カバー及び額縁デザインとなる着脱式額縁フレームで、着脱式額縁フレーム構造の展示用の額は構成している。
額本体部の接続部分は額本体部の枠状部から、額の前面および背面ともにフランジ状のＬ型９０度外側方向に折れ曲がり伸びて、展示部分の前面と背面の外周にツバ形状の接続部分を形成し、このＬ型の一辺側が接続部分となる構造である。
額本体前面ツバ形状接続部分は前面透明板の周縁部と接続し箱形状となり強度を保つ。額本体部背面ツバ形状接続部分の接続は、額本体部背面ツバ形状接続部分の外周が額本体部前面ツバ形状接続部分の外周よりも額本体部背面ツバ形状接続部分の外周が外方向に大きく延びることで着脱式額縁フレームは額本体部前面ツバ形状接続部分と干渉することなく額本体部背面ツバ形状接続部分との嵌合により組み立てられる。額本体部前面ツバ形状接続部分と前面透明板が箱形状に接続する構造によって、額の中心部分の強度が保たれることで、着脱式額縁フレームは展示用の額の強度部分には関係しない構造となり、展示用の額から直接着脱が可能となる。そのことにより、展示用の額から着脱式額縁フレームを取り外し、他の異なるデザインの着脱式額縁に交換することができる。
額本体部から前面透明板を取り外す事によって額本体部の展示部分が開放でき展示物の入れ替えなどが行え、そして前面透明板を取り付けることにより展示部分を封鎖することができる。そのことにより額としての目的である展示物の収納保管ができ、展示部分を外部と遮断することで展示物の劣化を防止する。また額本体部前面ツバ形状接続部分と前面透明板周縁接続部分は互いの接続面により接続する。その接続部分は着脱式額縁フレームが無い状態では全てが見えてしまい、額としての機能や額縁のないことでデザイン性を欠くことになるが、着脱式額縁フレームが額本体部前面ツバ形状接続部分と前面透明板周縁接続部分の接続部分外周の全てを覆い取り付くことで、額の機能やデザインが額としての基本性に準ずる外観となる。
着脱式額縁フレームは額本体部前面ツバ形状接続部分と前面透明板周縁接続部分の接続部分の外周全てを覆う傘のような役割を果す。それは展示部分の接続部分を構成する額本体部前面ツバ形状接続部分と前面透明板周縁接続部分の接続部分が額本体部に取り付いた着脱式額縁フレームの空間内になることで、空間内部においても接する箇所はなく外部環境と遮断でき、中空状態の接続部となる。着脱式額縁フレームが取り付くことで額本体部前面ツバ形状接続部分と前面透明板周縁接続部分の接続部分を保護カバーできる。そのことで各接続部分に防水材やパッキン材、クッション材等を使用しなくても展示部分が直接風雨などの外部環境に触れることがない構造であるため、多くの場所に展示用の額を設置できる。
額本体部の前面及び背面のツバ形状接続部分に段差やオウトツなどをつけることで、前面透明板周縁接続部分や着脱式額縁フレームの接続部分にもツバ形状接続部分と組み合わさる段差やオウトツをつけることで、はめ込み式等の確実な接続も可能であり、また接続部分にパッキン等を使用することで展示部分の密閉度および防水効果を高めることもでき展示物の劣化をさらに防止できる。
着脱式額縁フレームは展示用の額前面から背面方向に差し込み、額本体部背面ツバ形状接続部分と直接着脱でき、額本体部前面ツバ形状接続部分と前面透明板周縁接続部分の保護カバーであるとともに額のデザインである着脱式額縁フレーム構造が特徴の展示用の額。
【発明の効果】
【０００５】本発明は、次のような効果があげられる。
（Ａ）、展示用の額の形が、円形や三角形やハート型やキャラクターの形、他などのさまざまな形状であっても、四角い展示用の額と同様に額本体ツバ形状接続部分が額本体部の前面及び背面ともに枠形状からフランジ状のＬ型９０度外側方向に折れ曲がることで、Ｌ型の一辺側が接続部分になり、前面透明板周縁接続部分や着脱式額縁フレーム接続部分と接続できる。従来の額では難しい額の形状であっても展示用の額を全て同一の構成、構造で作ることができる。
（Ｂ）、展示用の額の大きさは写真立てのような小さい物から大きな物では前面透明板が有り得る大きさまで額を同一の構成、構造で作ることができ、額の展示部分の奥行きを自由に決めることでさまざまな展示を可能にすることができる。
（Ｃ）、展示用の額は構成、構造により外部環境等に対応できる。しかし環境の悪い場所に設置する場合は額本体部、前面透明板、着脱式額縁フレームとの接続部分にパッキン材やクッション材や防水材等を使用することで額内部は密閉になり展示物の劣化をさらに防止することができ、またパッキン材等を使用しない場合は着脱式額縁フレームの下部に水抜け口を設けることで着脱式額縁フレーム内の水の溜りを防止することができ、多くの場所での設置が可能である。
（Ｄ）、着脱式額縁フレームは額本体部から直接取り外し取り付けできるほか、他の異なるデザインの着脱式額縁フレームに入れ替えることができるので、季節やイベントなどさまざまなシーンにあわせて着脱式額縁フレームを選び入れ替えることができる。また着脱式額縁フレームの破損や劣化などの場合には取り外し、新しい着脱式額縁フレームに交換することで、展示用の額の廃棄を減少することができエコにも対応できる。また従来の額ように多くの額を所有することなくイベントや店舗や季節展示などに着脱式額縁フレームの交換のみでの演出をすることができ、効率的に展示用の額を使用できる。
（Ｅ）、二つの展示用の額の背面部分同士を接続することで背面部を持たない展示用の額になる。背面合わせの展示用の額を上部からの吊り式や下部からの支柱式などにより設置場所が壁面以外でも可能である。それは展示用の額の着脱式額縁フレームと前面透明板が前面から直接着脱できることにより展示物の入れ替えができることによる。また背面合わせの展示用の額であっても展示用の額の構成、構造は壁面取り付けと同一であり、外部環境に対しても同様に対応する。
（Ｆ）、展示用の額を展示会場や商業施設や住宅などの屋内設置などでは、外部環境等の状況とは異なり雨水等から接続部分は侵食されないため、着脱式額縁フレーム内部の空間は外部との遮断を必要としないため、着脱式額縁フレーム接続部分は額本体部背面ツバ形状接続部との接続部分があれば、着脱式額縁フレームの材質等をデザイン性に富むドライフラワーや食品又は紙やビニールやぬいぐるみや植物、他など屋内用に多くのデザインや企画をすることができ、さまざまな屋内ディスプレイを可能にすることができる。
（Ｇ）、額本体部と前面透明板、額本体部と着脱式額縁フレームの接続に関しては作る額の大きさや使用目的により異なるが、その接続方法は、テープ、両面テープ、マジックテープ、磁石、クリップ止め、ねじ止め、ボルト止め、接着剤、市販の金具、他など多様な接続方法から選択できる。このような接続方法により、展示用の額はさまざまな使用目的や使用条件に対応することができる。
【図面の簡単な説明】
【０００６】
【図１】本発明の実施の形態の説明図
【図２】図１のＷ−Ｘ線に沿う拡大断面図
【図３】図１の分解斜視図
【図４】図１と別形状の額の斜視図
【図５】図１から着脱式額縁フレームを取り外し、他の異なるデザインの着脱式額縁フレームに入れ替えた実施の形態の説明図
【図６】図５のＹ−Ｚ線に沿う拡大断面図
【発明を実施するための形態】
【０００７】図面に示す実施の形態により、本発明を詳細に説明する。
〈ア〉、図１図２に示す、額の展示部分と背面部を有する枠状の額本体部（２）と、額本体部背面と反対側の額本体部前面に取り付く前面透明板（３）と、額本体部前面と前面透明板の接続部分を保護カバー及び額縁デザインとなる着脱式額縁フレーム（４）で、着脱式額縁フレーム構造の展示用の額（１）を構成している。
〈イ〉、図２図３に示す、額本体部の接続部分は額本体部の枠状部から、額の前面および背面ともにフランジ状のＬ型９０度外側方向に折れ曲がり伸びて、展示部分の前面と背面の外周にツバ形状の接続部分（５）（６）を形成し、このＬ型の一辺側が接続部分となる構造である。
〈ウ〉、図２図３に示す、額本体前面ツバ形状接続部分（５）は前面透明板（３）の周縁部と接続し箱形状となり強度を保つ。額本体部背面ツバ形状接続部分（６）の接続は、額本体部背面ツバ形状接続部分（６）の外周が額本体部前面ツバ形状接続部分（５）の外周よりも額本体部背面ツバ形状接続部分（６）の外周が外方向に大きく延びることで着脱式額縁フレームは額本体部前面ツバ形状接続部分（５）と干渉することなく額本体部背面ツバ形状接続部分（６）との嵌合により組み立てられる。着脱式額縁フレーム（４）は額前面から背面方向に差し込み、額本体部背面ツバ形状接続部分（６）と直接着脱できる。
〈エ〉、図２図３に示す、額本体部前面ツバ形状接続部分（５）と前面透明版（３）が箱状に接続する構造によって展示用の額（１）の強度が保たれることで、着脱式額縁フレーム（４）は展示用の額の強度部分には関係しない構造となり、展示用の額（１）から直接着脱が可能となる。この構造により、展示用の額（１）から着脱式額縁フレーム（４）を取り外し、図５図６に示す、他の異なるデザインの着脱式額縁（９）に入れ替えることができる。
〈オ〉、図２図３に示す、額本体部（２）から前面透明板（３）を取り外す事によって額本体部の展示部分が開放でき、展示物の入れ替えなどが行える展示部前面開口部（８）、そして前面透明板（３）を取り付けることにより展示部前面開口部（８）を封鎖することができる。そのことにより額としての目的である展示物の収納や保管ができ、展示部分を外部と遮断することで展示物の劣化を防止する。また額本体部前面ツバ形状接続部分（５）と前面透明板周縁接続部分（３）は互いの接続面により接続する。その接続部分は着脱式額縁フレーム（４）が無い状態では全てが見えてしまい、額としての機能や額縁のないことでデザイン性を欠くことになるが、着脱式額縁フレーム（４）が額本体部前面ツバ形状接続部分（５）と前面透明板周縁接続部分（３）の接続部分外周の全てを覆い取り付くことで、額の機能やデザインが額としての基本性に準ずる外観となる。
〈カ〉、図２図３に示す、着脱式額縁フレーム（４）は額本体部前面ツバ形状接続部分（５）と前面透明板周縁接続部分（３）の接続部分の外周全てを覆う傘のような役割を果す保護カバーである。それは展示部分の接続部分を構成する額本体部前面ツバ形状接続部分（５）と前面透明板周縁接続部分（３）の接続部分が額本体部（２）に取り付いた着脱式額縁フレーム（３）の空間内になることで、空間内部においても接する箇所はなく外部環境と遮断でき、中空状態の接続部となる。着脱式額縁フレーム（４）は額本体部前面ツバ形状接続部分（５）と前面透明板周縁接続部分（３）の接続部分の全てを覆い保護カバーする。このことで各接続部分（５）（６）（７）に防水材やパッキン材、クッション材等を使用しなくても展示部分が直接風雨などの外部環境に触れることがない構造であり、多くの場所に展示用の額（１）を設置することができる。
〈キ〉、図２図３に示す、額本体部（２）の前面及び背面のツバ形状接続部分（５）（６）に段差やオウトツなどをつけることで、前面透明板周縁接続部分（３）や着脱式額縁フレーム接続部分（７）にもツバ形状接続部（５）（６）と組み合わさる段差やオウトツをつけることで、はめ込み式等の確実な接続も可能であり、また接続部分にパッキン等を使用することで展示部分の密閉度および防水効果を高めることができ展示品の劣化をさらに防止できる。
〈ク〉、図４に示す、別形状の額の例（１０）は、前記（イ）（ウ）（エ）（オ）の構造によって、図１図２図３の四角い形状の展示用の額（１）と同様に額本体ツバ形状接続部分（５）（６）が額本体部（２）の前面及び背面ともに枠形状からフランジ状のＬ型９０度外側方向に折れ曲がることで、Ｌ型の一辺側が接続部分になり、前面透明板周縁接続部分（３）や着脱式額縁フレーム接続部分（７）と接続できる。
従来の額では難しい円形や三角形やハート形やキャラクター形などさまざまな形であっても展示用の額（１）を全て同一の構成、構造で作ることができる。
また別形状の展示用の額の例（１０）であっても展示用の額（１）の構成、構造が同一のため、図５図６に示す、他の異なるデザインの額縁フレームを入れた展示用の額の例（１１）と同様で、展示用の額の形状が同じであれば、別形状の展示用の額（１０）から着脱式額縁フレーム（４）を取り外し、同一の形状の他の異なるデザインの着脱式額縁フレームの例（９）を取り付けることができる。
〈ケ〉、図３に示す、構造により展示用の額（１）の材質の種類は、使用の目的用途や設置の期間や額の大きさにより異なるが、額本体部（２）の強度が保たれる材質の種類であれば、さまざまな材質の中から条件の合う材質を選択して展示用の額（１）を作ることができる。材質の種類はプラスチック材、ＦＲＰ、発砲スチロール、木材、鉄、非鉄金属、他、などさまざまな材質から選択することが可能である。
また前面透明板（３）はガラス板やアクリルなどのプラスチック板を使うことができる。また熱紫外線に対応する前面透明板（３）や前面透明板（３）表面に熱紫外線に対応するフィルムを使用することで、展示物の劣化をさらに防止することができる。そして着脱式額縁フレーム（４）は額の強度に関係しない構造ため、屋外設置では額本体部（２）を作る材質と同様の種類から選択できる。屋内設置では額の展示部の接続部分（５）（３）に雨水等の浸食等の影響が無い場所においては着脱式額縁フレーム（４）内部の空間により保護カバーの必要がいらないため着脱式額縁フレーム接続部分（７）と額本体部背面ツバ形状接続部分（６）の接続部があれば、額本体部（２）を作る材質に加えて、紙やビニール又は食品、ドライフラワー、植物、他、など、より多くの材質を選択して作ることが可能である。
〈コ〉、図２図３に示す、展示用の額（１）は、額本体部（２）、前面透明板（３）、着脱式額縁フレーム（４）の各接続部分が合わさることで展示用の額を形成する。
この接続方法は使用の目的用途や設置の期間や額の大きさにより異なるが、テープ、両面テープ、マジックテープ、磁石、クリップ止め、ねじ止め、ボルト止め、接着剤、市販の金具、他など多様な接続方法から選択することができる。展示用の額（１）は、額の構成、構造により外部環境に対応するが、特に環境の悪い場所では、接続部分（５）（６）（７）の間にパッキン材やクッション材や防水材を使用することで、展示部分内部は密閉になり展示物の劣化をさらに防止することができる。
〈サ〉、図１図２に示す、展示用の額（１）から着脱式額縁フレーム（４）を取り外し、図５図６に示す、他の異なるデザインの額縁フレームを入れた展示用の額の例（１１）は、他の異なるデザインの着脱式額縁フレームの例（９）の接続部分と額縁本体背面ツバ形状接続部（６）を接続することで他の異なるデザインの額縁フレームを入れた展示用の額の例（１１）にすることができる。以上のように着脱式額縁フレーム（４）を他の異なるデザインの額縁フレームの例（９）のように額縁フレームを入れ替えることで多くの額を所有することなく、季節やイベントなどさまざまなシーンに合わせて額縁フレームを選ぶことができ、また額縁フレームの破損や劣化などでも容易に額縁フレームを交換することができる。
〈シ〉、図２に示す、額本体部前面ツバ形状接続部分（５）と前面透明板周縁接続部分（３）の接続で額中心部分は箱形状になり展示用の額の強度を保つことで着脱式額縁フレームが何度でも取り外し取り付けが可能であり、着脱式額縁フレーム（４）は額本体部前面ツバ形状接続部分（５）と前面透明板周縁接続部分（３）の保護カバーであるとともに額のデザインである着脱式額縁フレーム構造が特徴の展示用の額（１）。
【符号の説明】
【０００８】（１）：展示用の額
（２）：額本体部
（３）：前面透明板
（４）：着脱式額縁フレーム
（５）：額本体部前面ツバ形状接続部分
（６）：額本体部背面ツバ形状接続部分
（７）：着脱式額縁フレーム接続部分
（８）：展示部前面開口部
（９）：他の異なるデザインの着脱式額縁フレームの例
（１０）：別形状の展示用の額の例
（１１）：他の異なるデザインの額縁フレームを入れた展示用の額の例
【図１】
2011115575.tif 000003
【図２】
2011115575.tif 000004
【図３】
2011115575.tif 000005
【図４】
2011115575.tif 000006
【図５】
2011115575.tif 000007
【図６】
2011115575.tif 000008